(57)【要約】【課題】一対のサイドウォールの少なくとも一方の表面１に装飾域２を配置し、この装飾域を、模様よりなる模様部分３と、標章よりなる標章部分４とで構成したタイヤにおいて、標章の配置の自由度を格段に向上させるとともに、模様に対する標章の視認性を大幅に改良することのできるタイヤ１０を提供する。【解決手段】模様部分３の模様を、互いに並列して延在するリッジ５Ａよりなる第一のリッジ群１５Ａと、リッジ５Ａと異なる方向に並列して延在するリッジ５Ｂよりなる第二のリッジ群１５Ｂとで構成するとともに、標章部分４の標章をサイドウォール表面１と平行な平面で、もしくはそれらの複数個を組み合わせて構成し、サイドウォール表面レベルに対する、標章部分４の最高高さを、模様部分３の最高高さよりも高くする。【選択図】図２
2008137541.tif 000002
【特許請求の範囲】
【請求項１】
一対のサイドウォールの少なくとも一方の表面に装飾域を配置し、この装飾域を、模様よりなる模様部分と、標章よりなる標章部分とで構成したタイヤにおいて、
前記模様部分の模様を、互いに並列して延在する複数のリッジよりなる第一リッジ群と、第一リッジ群のリッジとは異なる方向に沿って互いに並列して延在する複数のリッジよりなる第二リッジ群とで構成し、前記標章部分の標章のうち、少なくとも、タイヤ半径方向延在幅の最も広い標章を、サイドウォール表面と平行な平面で、もしくはそれらの複数個を組み合わせて構成するとともに、サイドウォール表面レベルに対する最高高さを、模様部分の最高高さよりも高くしてなるタイヤ。
【請求項２】
前記模様部分を、第一のリッジ群のみの領域と、第一および第二のリッジ群が併存する領域とで構成してなる請求項１に記載のタイヤ。
【請求項３】
前記第一および第二のリッジ群の、それぞれのリッジ群において、郡内の各リッジの最高高さ同一にするとともに、第二のリッジ群のリッジの最高高さを、第一のリッジ群のリッジの最高高さ以下としてなる請求項１もしくは２に記載のタイヤ。
【請求項４】
前記第一および第二のリッジ群が併存する領域の、前記第一のリッジ群のみの領域との境界線を、タイヤ半径方向延在幅の最も広い標章と交わらせてなる請求項３に記載のタイヤ。
【請求項５】
前記装飾域内の標章部分を、複数種類の標章で構成し、タイヤ半径方向延在幅が最大でない、少なくとも１種類の標章を、前記第一のリッジ群と前記第二のリッジ群とを併存させた領域で構成してなる請求項２〜４のいずれかに記載のタイヤ。
【請求項６】
前記第一および第二のリッジ群が併存する領域における、第一リッジ群のリッジと、第二リッジ群のリッジとの、鋭角側の交叉角度を、45〜90°としてなる請求項２〜５のいずれかに記載のタイヤ。
【請求項７】
サイドウォール表面の、装飾域以外の部分にも標章を配置してなる請求項１〜６のいずれかに記載のタイヤ。
【請求項８】
前記装飾域を円環の周方向一部を切り欠いた形状とし、前記装飾域外に配置される標章を域外標章と呼ぶとき、この域外標章を、前記円環の切り欠かれた部分に対応するサイドウォール表面上に配置してなる請求項７のいずれかに記載のタイヤ。
【請求項９】
前記装飾域内に配置された標章も含め、サイドウォール表面上に配置された全ての標章を、タイヤ半径方向の延在幅が広いほど、サイドウォール表面に対する高さが高くなるよう形成してなる請求項１〜８のいずれかに記載のタイヤ。
【発明の詳細な説明】
【技術分野】
【０００１】
本発明は、一対のサイドウォールの少なくとも一方の表面に装飾域を設け、この装飾域を、模様よりなる模様部分と、標章よりなる標章部分とで構成したタイヤに関し、特に、標章の視認性を高めることができるよう構成したものに関する。
【背景技術】
【０００２】
タイヤのトレードマーク、トレードドレス等の、文字、または記号よりなる標章を表示するため、標章を配置した装飾域をサイドウォール表面に設け、標章と、装飾域内の他の部分とを、リッジの深さを変えることにより区別するよう構成されたタイヤが知られている（例えば、特許文献１参照。）が、このタイヤにおいては、標章の周囲の装飾域部分には模様が付けられていない。
【０００３】
そこで、サイドウォール部のデザイン性を高めるため、装飾域の標章以外の部分を模様で構成することも行われていて、図１は、このようなタイヤを例示する側面図であるが、このようなタイヤ９０は、そのサイドウォール表面９１に円環の一部を切り欠いた装飾域９２を設け、装飾域９２に、標章よりなる標章部分９３Ａ、９３Ｂを配置するとともに、その周囲の装飾域部分９４に、リッジよりなる部分９５と、平坦な表面よりなる部分９６とを組み合わせることにより模様を形成している。
【特許文献１】特開２００３−１８２３１７号公報
【発明の開示】
【発明が解決しようとする課題】
【０００４】
しかしながら、図１に示したタイヤにあっては、第一に、リッジよりなる模様部分に囲まれた標章の場合にはその表面を平坦にし、平坦な模様部分に囲まれた標章の場合には、リッジのある表面にしなければ、標章と周囲の模様との境目がどこかで不明確になってしまうので、標章を、模様の境目をまたがらせることができないという、配置上の制約が生じてしまうという問題があり、第二に、模様となるパターンの識別も、標章と模様との区別も、どちらも、平坦な表面か、リッジを有する表面かだけでなされるので、標章を、模様部分よりも視認性を高めることが難しいという問題があった。
【０００５】
本発明は、このような問題点に鑑みてなされたものであり、一対のサイドウォールの少なくとも一方の表面に装飾域を配置し、この装飾域を、模様よりなる模様部分と、標章よりなる標章部分とで構成したタイヤにおいて、標章の配置の自由度を格段に向上させるとともに、模様に対する標章の視認性を大幅に改良することのできるタイヤを提供することを目的とする。
【課題を解決するための手段】
【０００６】
＜１＞は、一対のサイドウォールの少なくとも一方の表面に装飾域を配置し、この装飾域を、模様よりなる模様部分と、標章よりなる標章部分とで構成したタイヤにおいて、
前記模様部分の模様を、互いに並列して延在する複数のリッジよりなる第一リッジ群と、第一リッジ群のリッジとは異なる方向に沿って互いに並列して延在する複数のリッジよりなる第二リッジ群とで構成し、前記標章部分の標章のうち、少なくともタイヤ半径方向延在幅の最も広い標章を、サイドウォール表面と平行な平面で、もしくはそれらの複数個を組み合わせて構成するとともに、サイドウォール表面レベルに対する最高高さを、模様部分の最高高さよりも高くしてなるタイヤである。
【０００７】
＜２＞は、＜１＞において、前記模様部分を、第一のリッジ群のみの領域と、第一および第二のリッジ群が併存する領域とで構成してなるタイヤである。
【０００８】
＜３＞は、＜１＞もしくは＜２＞において、前記第一および第二のリッジ群の、それぞれのリッジ群において、郡内の各リッジの最高高さ同一にするとともに、第二のリッジ群のリッジの最高高さを、第一のリッジ群のリッジの最高高さ以下としてなるタイヤである。
【０００９】
＜４＞は、＜３＞において、前記第一および第二のリッジ群が併存する領域の、前記第一のリッジ群のみの領域との境界線を、タイヤ半径方向延在幅の最も広い標章と交わらせてなるタイヤである。
【００１０】
＜５＞は、＜２＞〜＜４＞のいずれかにおいて、前記装飾域内の標章部分を、複数種類の標章で構成し、タイヤ半径方向延在幅が最大でない、少なくとも１種類の標章を、前記第一のリッジ群と前記第二のリッジ群とを併存させた領域で構成してなるタイヤである。
【００１１】
＜６＞は、＜２＞〜＜５＞のいずれかにおいて、前記第一および第二のリッジ群が併存する領域における、第一リッジ群のリッジと、第二リッジ群のリッジとの、鋭角側の交叉角度を、45〜90°としてなるタイヤである。
【００１２】
＜７＞は、＜１＞〜＜６＞のいずれかにおいて、サイドウォール表面の、装飾域以外の部分にも標章を配置してなるタイヤである。
【００１３】
＜８＞は、＜７＞において、前記装飾域を円環の周方向一部を切り欠いた形状とし、前記装飾域外に配置される標章を域外標章と呼ぶとき、この域外標章を、前記円環の切り欠かれた部分に対応するサイドウォール表面上に配置してなるタイヤである。
【００１４】
＜９＞は、＜１＞〜＜８＞のいずれかにおいて前記装飾域内に配置された標章も含め、サイドウォール表面上に配置された全ての標章を、タイヤ半径方向の延在幅が広いほど、サイドウォール表面に対する高さが高くなるよう形成してなるタイヤである。
【発明の効果】
【００１５】
＜１＞によれば、装飾域において、模様部分の模様をリッジで構成し、前記標章部分の標章のうち、少なくともタイヤ半径方向延在幅の最も広い標章（すなわち、最も目立たせたい最重要標章）を、サイドウォール表面と平行な平面で、もしくはそれらの複数個を組み合わせて構成するとともに、サイドウォール表面レベルに対する最高高さを、模様部分の最高高さよりも高くしたので、模様部分に対して、最重要標章を、リッジで構成されていない点、および、最高高さが高い点の２点において区別することができ、最重要標章と模様部分との区別が明確になって、最重要標章の視認性を高めることができるようになり、さらに、この視認性は、最重要標章を模様部分のどこに配置しても影響を受けることがないので、標章の配置の自由度を著しく高めることができ、一方で、模様部分を、第一リッジ群と第二のリッジ群との組み合わせで構成したことにより、模様部分のデザイン性を向上させることができる。
【００１６】
＜２＞によれば、前記模様部分を、第一のリッジ群のみの領域と、第一および第二のリッジ群が併存する領域とで構成したので、模様部分を、明らかに見え方の異なる二つの領域で模様を形成することにより、模様部分のデザイン性を一層高めることができる。
【００１７】
＜３＞によれば、第二のリッジ群のリッジの最高高さを、第1のリッジ群のリッジの最高高さ以下としてなるので、模様部分のデザイン性を多様化させることができる。
【００１８】
＜４＞によれば、前記第一および第二のリッジ群が併存する領域の、前記第一のリッジ群のみの領域との境界線を、タイヤ半径方向延在幅の最も広い標章と交わらせたので、３次元的な立体感を伴った、サイドウォール部のデザインが可能となり、高級感、高品質感を付与することができる。
【００１９】
＜５＞によれば、前記装飾域内の標章部分を、複数種類の標章で構成し、タイヤ半径方向延在幅が最大でない、少なくとも１種類の標章を、前記第一のリッジ群と前記第二のリッジ群とを併存させた領域で構成したので、重要度の低い標章を、模様部分と同様の構成とすることにより、それ以外の標章の視認性を相対的に高めることができる。
【００２０】
＜６＞によれば、前記第一および第二のリッジ群が併存する領域における、第一リッジ群のリッジと、第二リッジ群のリッジとの、鋭角側の交叉角度を、45〜90°としたので、第一のリッジ群だけの領域と、第一のリッジ群と第二のリッジ群とを併存させた領域との区別を一層明確にすることができ、模様のデザイン性をさらに高めることができる。
【００２１】
＜７＞によれば、サイドウォール表面の、装飾域以外の部分にも標章を配置し域外標章としたので、この域外標章を他の域内標章と区別し、域外標章の視認性をもっとも高いものとすることがでる。
【００２２】
＜８＞によれば、前記装飾域を円環の周方向一部を切り欠いた形状とし、切り欠かれた部分に対応するサイドウォール表面上に前記域外標章を配置したので、周方向に沿って視認性の異なる標章と模様とが出現することになり、サイドウォール表面のデザイン性を高めることができる。
【００２３】
＜９＞によれば、装飾域内に配置された標章も含め、サイドウォール表面上に配置された全ての標章を、タイヤ半径方向の延在幅が広いほど、サイドウォール表面に対する高さが高くなるよう形成したので、複数の標章相互間における視認性の差を一層大きくすることができ、サイドウォール表面のデザインによるメッセージ発信性能を一層高めることができる。
【発明を実施するための最良の形態】
【００２４】
本発明の実施形態について、図に基づいて説明する。図２は、本発明に係るタイヤを示す側面図であり、また、図３〜図６は、それぞれ、図２における、Ａ−Ａ断面、Ｂ−Ｂ断面、Ｃ−Ｃ断面、および、Ｄ−Ｄ断面に対応する断面図であり、タイヤ１０の、少なくとも一方のサイドウォール表面１には、装飾域２が配置され、この装飾域２は、模様よりなる模様部分３と、標章よりなる標章部分４とで構成されている。
【００２５】
なお、図３〜図６において示された数値は、タイヤ厚さ方向の高さをmm単位で表すものである。また、本明細書において、標章とは、文字または記号をいい、模様とは、見え方の違う複数の部分を組み合わせた図柄をいう。
【００２６】
ここで、装飾域２は、図２に示したものの場合、タイヤ中心軸を中心とする円環の周方向一部を切り欠いた形状であるが、形状やサイドウォール表面上の配置に関しては、特に限定はなく、例えば、図７に、タイヤ側面図で示すように、サイドウォール表面１上に形成された無端円環状の装飾域２Ａであってもよいし、また、図８に同様の方法で示すように、複数個の弧状部分よりなる装飾域２Ｂであってもよく、さらに、個々の装飾域は、図９に示した装飾域２Ｃのように蛇行した帯状のもの、装飾域２Ｄのように長方形状のもの、装飾域２Ｅのように周方向に傾斜したもの、あるいは、装飾域２Ｆのように周方向端部が丸みを帯びているものでもよい。なお、図７〜９においては、装飾域２Ａ、２Ｂ、２Ｃ、２Ｄ、２Ｅ、２Ｆの内部の構成については図示を省略した。
【００２７】
図２に示すように、装飾域２における模様部分３の模様は、並列して配置された複数のリッジ（凸条）５Ａよりなる第一のリッジ群１５Ａと、第一リッジ群１５Ａのリッジ５Ａとは異なる方向に沿って互いに並列して延在する複数のリッジ５Ｂよりなる第二リッジ群１５Ｂとで構成されており、図示の場合、模様部分３の模様は、第一のリッジ群１５Ａのリッジ５Ａだけよりなる背景部１１と、第一のリッジ群１５Ａのリッジ５Ａと、第二のリッジ群１５Ｂのリッジ５Ｂとが併存する前景部１２とで構成されており、前景部１２において、第一のリッジ群１５Ａのリッジ５Ａと、第二のリッジ群１５Ｂのリッジ５Ｂとは、交叉するよう構成される。リッジ５Ａと５Ｂとの鋭角側の交叉角度は、45〜90°とするのが、模様の視認性の点で好ましく、75〜90°とするのがさらに好ましい。
【００２８】
一方、装飾域２の一部を構成する標章部分４は、図示の場合、標章２２、標章２３よりなり、これらの標章２２、標章２３は、サイドウォール表面１と平行な平面で、もしくはそれらの複数個を組み合わせて構成され、例えば、標章２２は、サイドウォール表面１と平行な二つの平面２２Ａ、２２Ｂで構成され、この場合、平面２２Ａは、平面２２Ｂを取り囲む縁として作用する。一方、標章２３は、サイドウォール表面１と同一平面上にある平面で構成されている。
【００２９】
また、サイドウォール表面１からの標章部分４の最高高さは、模様部分３の最高高さより高く、標章２２では、図６に示すように、模様部分の最高高さより0.3mmだけ高く、また、標章２３では、図４に示すように、模様部分の最高高さより0.1mmだけ高い。
【００３０】
このように、装飾域２において、模様に対する標章の区別を、模様内の配置に関わりなく、表面性状と、サイドウォール表面に対する高さとの２つの方法で行うので、標章２２、２３の視認性を高めるとともに、その模様内の配置の自由度も向上させることができる。
【００３１】
ここで、リッジ５Ｂの最高高さを、リッジ５Ａの最高高さ以下とするのが好ましく、リッジ５Ｂがリッジ５Ａより高くならないように設定することにより、標章部分４の最高高さがどの部分をとっても模様部分３の最高高さより高いものとすることができ、高さの違いにより、模様と標章との区別を一層明確にすることができる。
【００３２】
例えば、図４、図５に示す通り、リッジ５Ａ、５Ｂの高さは、ともに−0.1mmであり、それらの深さは、0.3mmである。
【００３３】
また、模様を形成するリッジ５Ａ、５Ｂは直線の凸条とする必要はなく、例えば、図１０に示すように、円弧状のリッジ５Ｃ、５Ｄであってもよい。
【００３４】
ここで、装飾域２内の標章２２、２３を域内標章と呼ぶとき、域外標章として装飾域２の外側のサイドウォール表面１にも標章２１を配置することが好ましく、このことによって、域外標章２１の、他の標章２２、２３に対する視認性を変化させ、より多くの重要度の異なる標章を、その重要度に応じた視認性を付与することができる。
【００３５】
そして、標章の重要度が高いほど、その大きさの代表特性であるタイヤ半径方向延在幅を広くするのは一般的であるが、タイヤ半径方向延在幅が広いほど、サイドウォール表面からの高さも高くするのが好ましく、このことによって、標章相互間の視認性の差を一層明確にすることができる。
【００３６】
本実施形態の場合、域外標章２１が、重要度が最も高く、したがってタイヤ半径方向延在幅が最も大きく、一方、域内標章２３は、最も重要度が低く、タイヤ半径方向延在幅が最も小さく、標章２１、２２、２３の高さの順番は、タイヤ半径方向延在幅の大きさの順番に符合しており、もっとも大きい標章２１はサイドウォール表面１から0.4mmの高さにあってもっとも高く、標章２２の最高高さは、サイドウォール表面１から0.2mmの高さにあり、また、もっとも小さい標章２３の高さは、サイドウォール表面１と同じで、標章の中では最も低い。
【００３７】
また、図示のように装飾域１を円環の一部を切り欠いた形状に構成し、切り欠いた円環部分に対応するサイドウォール表面１９に、域外標章２１を配置するのが好ましく、このように、異なる重要度の標章をタイヤ周方向に並べることによって、標章の視認性の差を一層明確にし、訴求力を高めることができる。
【００３８】
なお、図３に示すように、域外標章２１は、単に、サイドウォール表面と平行な平面２５だけではなく、リッジにより形成される表面２６を有していてもよい。
【００３９】
また、図１１に示すように、サイドウォール表面に配置された標章のうち、タイヤ半径方向の延在幅が最も狭い標章２７（すなわち、最も重要度の低い標章）を、互いに交叉する第一のリッジ群１５Ａのリッジ５Ａと、第二のリッジ群１５Ｂのリッジ５Ｂとを交叉させて形成することもでき、この場合、この標章２７を、第一のリッジ群１５Ａだけで形成されている背景部１１と区別することができるので、標章として視認することができ、しかも、その視認性は、模様部分３内の前景部分１２と同等であることにより、他の、より重要な標章とも異ならせることができ、他の重要な標章の視認性を相対的に向上させることができる。
【産業上の利用可能性】
【００４０】
本発明は、種々の種類や用途のタイヤに好適に用いることができる。
【図面の簡単な説明】
【００４１】
【図１】従来のタイヤを示す側面図である。
【図２】本発明に係る実施形態のタイヤを示す側面図である。
【図３】図２のＡ−Ａ断面に対応する断面図である。
【図４】図２のＢ−Ｂ断面に対応する断面図である。
【図５】図２のＣ−Ｃ断面に対応する断面図である。
【図６】図２のＤ−Ｄ断面に対応する断面図である。
【図７】装飾域の他の配置例を示すタイヤの側面図である。
【図８】装飾域の他の配置例を示すタイヤの側面図である。
【図９】装飾域の他の配置例を示すタイヤの側面図である。
【図１０】リッジの他の態様を示す模式図である。
【図１１】重要性の低い標章の態様を示す模式図である。
【符号の説明】
【００４２】
１    サイドウォール
２、２Ａ、２Ｂ、２Ｃ、２Ｄ、２Ｅ、２Ｆ    装飾域
３    模様部分
４    標章部分
５Ａ    第一のリッジ群のリッジ
５Ｂ    第二のリッジ群のリッジ
１０    タイヤ
１１    模様の背景部分
１２    模様の前景部分
１５Ａ    第一のリッジ群
１５Ｂ    第二のリッジ群
１９    円環切欠部分に対応するサイドウォール表面
２１    （域外）標章
２２    （域内）標章
２２Ａ    （域内）標章の平面
２２Ｂ    （域内）標章の平面
２３    （域内）標章
２５    （域外）標章のサイドウォール表面と平行な平面２
２６    （域外）標章のリッジにより形成される表面
２７    タイヤ半径方向の延在幅が最も狭い標章
【図１】
2008137541.tif 000003
【図２】
2008137541.tif 000004
【図３】
2008137541.tif 000005
【図４】
2008137541.tif 000006
【図５】
2008137541.tif 000007
【図６】
2008137541.tif 000008
【図７】
2008137541.tif 000009
【図８】
2008137541.tif 000010
【図９】
2008137541.tif 000011
【図１０】
2008137541.tif 000012
【図１１】
2008137541.tif 000013